【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
物体側より順に、全体として負の屈折力を有する前群と、全体として正の屈折力を有する後群とから成り、該後群が少なくとも２つの正レンズ群を有し、かつ、少なくとも前記前群及び２つの正レンズ群のレンズ群間の空気間隔を変化させることによって変倍を行うズームレンズであって、
前記後群の最も像面側に配置された最終レンズ群が、全体として正の屈折力を有し、２つの接合面を有する３枚のレンズから成る接合レンズを有するとともに、正レンズを該接合レンズの物体側及び像側にそれぞれ少なくとも１枚配置して構成されていることを特徴とするズームレンズ。
【請求項２】
物体側より順に、全体として負の屈折力を有する前群と、全体として正の屈折力を有する後群とから成り、該後群が少なくとも２つの正レンズ群を有し、かつ、少なくとも前記前群及び２つの正レンズ群のレンズ群間の空気間隔を変化させることによって変倍を行うズームレンズであって、
次の条件式(1)を満足することを特徴とするズームレンズ。
０．１８＜１／（１−ｄｆｒｗ×Φｆｗ＋Φｗ×ｈｒｗ）＜０．３０  ・・・(1)
但し、Φｗは広角時の全系の屈折力、Φｆｗは広角時の前群の屈折力、ｄｆｒｗは広角時の前群の主点と後群の主点との間隔、ｈｒｗは広角時の後群の後側主点位置である。
【請求項３】
前記後群の最も像側に配置された最終レンズ群が、全体として正の屈折力を有し、２つの接合面を有する３枚のレンズから成る接合レンズを有するとともに、正レンズを該接合レンズの物体側及び像側にそれぞれ少なくとも１枚配置して構成されていることを特徴とする請求項２に記載のズームレンズ。
【請求項４】
前記前群が、物体側より順に、物体側に凸面を向けた第１負メニスカスレンズと少なくとも１面の非球面を有する物体側に凸面を向けた第２負メニスカスレンズとで構成される第１サブユニットと、少なくとも１枚以上の正レンズと少なくとも１枚以上の負レンズとを有する第２サブユニットとで構成されていることを特徴とする請求項１〜３のいずれかに記載のズームレンズ。
【請求項５】
前記後群が、物体側より順に、全体として正の屈折力を有する第２レンズ群と、開口絞りを有し接合レンズで構成される第３レンズ群と、全体として正の屈折力を有する第４レンズ群とで構成され、変倍の際に、第２〜第４レンズ群それぞれの空気間隔を変化させることを特徴とする請求項１〜４のいずれかに記載のズームレンズ。
【請求項６】
前記後群が、物体側より順に、全体として正の屈折力を有する第２レンズ群と、開口絞りを有し接合レンズで構成される第３レンズ群と、全体として正の屈折力を有する第４レンズ群とで構成され、
前記第２レンズ群が、物体側より順に、全体として正の屈折力を有する第２レンズ群第１サブユニットと、負の単レンズで構成される第２レンズ群第２サブユニットとで構成され、
変倍の際に、該第２レンズ群第１サブユニットと、第２レンズ群第２サブユニットとの空気間隔を変化させることを特徴とする請求項１〜５のいずれかに記載のズームレンズ。
【請求項７】
前記最終レンズ群が、物体側より順に、少なくとも１つの非球面を有する正の単レンズと、負レンズと両凸レンズと負レンズとで構成され２つの発散面を有する接合レンズと、正の単レンズとで構成されていることを特徴とする請求項１，３〜６のいずれかに記載のズームレンズ。
【請求項８】
次の条件式(5)を満足することを特徴とする請求項１〜７のいずれかに記載のズームレンズ。
０．６０＜ｆ１＿ｗ／ＩＨ＜０．８３                              …(5)
但し、ｆ１＿ｗは短焦点距離端の焦点距離、ＩＨは像高である。
【請求項９】
請求項１〜８のいずれかに記載のズームレンズと、その像側に配置された撮像領域を決定する撮像部分を備えたことを特徴とする撮像装置。
【請求項１０】
前記２つの接合面を有する３枚のレンズから成る接合レンズの屈折力をΦIII、前記最終レンズ群の屈折力をΦＬとしたとき、次の条件式(2)を満足することを特徴とする請求項１又は３に記載のズームレンズ。
０．５＜｜ΦIII／ΦＬ｜＜１．７                          ・・・(2)
【請求項１１】
前記第１サブユニットの屈折力をΦｕ１、広角時の前記前群の屈折力をΦｆｗとしたとき、次の条件式(3)を満足することを特徴とする請求項４に記載のズームレンズ。
０．４５＜｜Φｕ１／Φｆｗ｜＜１．０                      ・・・(3)
【請求項１２】
前記第２レンズ群の最も物体側のレンズ面の曲率半径をｒ２ｆ、前記第２レンズ群の最も像側のレンズ面の曲率半径をｒ２ｒとしたとき、次の条件式(4)を満足することを特徴とする請求項５に記載のズームレンズ。
−０．５＜（ｒ２ｆ−ｒ２ｒ）／（ｒ２ｆ＋ｒ２ｒ）＜０．２  ・・・(4)
但し、０＜ｒ２ｆ かつ ０＜ｒ２ｒ
【請求項１３】
短焦点距離端における開放時（Ｆナンバーが最も小さくなる絞り状態）の光軸上での、光軸を含む面に沿った方向におけるマージナル光線束の径をＤｏ、短焦点距離端における開放時（Ｆナンバーが最も小さくなる絞り状態）の入射全画角１００°での、光軸を含む面に沿った方向におけるマージナル光線束の径であって光軸方向から見たときの径をＤａとしたとき、次の条件式(6)を満足することを特徴とする請求項１〜８のいずれかに記載のズームレンズ。
２．０＜Ｄａ／Ｄｏ＜４．０                                ・・・(6)
【請求項１４】
次の条件式(1')を満足することを特徴とする請求項２に記載のズームレンズ。
０．２０＜１／（１−ｄｆｒｗ×Φｆｗ＋Φｗ×ｈｒｗ）＜０．２５  ・・・(1')
但し、Φｗは広角時の全系の屈折力、Φｆｗは広角時の前群の屈折力、ｄｆｒｗは広角時の前群の主点と後群の主点との間隔、ｈｒｗは広角時の後群の後側主点位置である。
【請求項１５】
前記２つの接合面を有する３枚のレンズから成る接合レンズの屈折力をΦIII、前記最終レンズ群の屈折力をΦＬとしたとき、次の条件式(2')を満足することを特徴とする請求項１又は３に記載のズームレンズ。
０．７＜｜ΦIII／ΦＬ｜＜１．５                           ・・・(2')
【請求項１６】
前記第１サブユニットの屈折力をΦｕ１、広角時の前記前群の屈折力をΦｆｗとしたとき、次の条件式(3')を満足することを特徴とする請求項４に記載のズームレンズ。
０．５＜｜Φｕ１／Φｆｗ｜＜０．９                          ・・・(3')
【請求項１７】
前記第２レンズ群の最も物体側のレンズ面の曲率半径をｒ２ｆ、前記第２レンズ群の最も像側のレンズ面の曲率半径をｒ２ｒとしたとき、次の条件式(4')を満足することを特徴とする請求項５に記載のズームレンズ。
−０．４＜（ｒ２ｆ−ｒ２ｒ）／（ｒ２ｆ＋ｒ２ｒ）＜０．１        ・・・(4')
但し、０＜ｒ２ｆ  かつ  ０＜ｒ２ｒ
【請求項１８】
次の条件式(5')を満足することを特徴とする請求項１〜７のいずれかに記載のズームレンズ。
０．６３＜ｆ１＿ｗ／ＩＨ＜０．７５                          ・・・(5')
但し、ｆ１＿ｗは短焦点距離端の焦点距離、ＩＨは像高である。
【請求項１９】
短焦点距離端における開放時（Ｆナンバーが最も小さくなる絞り状態）の光軸上での、光軸を含む面に沿った方向におけるマージナル光線束の径をＤｏ、短焦点距離端における開放時（Ｆナンバーが最も小さくなる絞り状態）の入射全画角１００°での、光軸を含む面に沿った方向におけるマージナル光線束の径であって光軸方向から見たときの径をＤａとしたとき、次の条件式(6')を満足することを特徴とする請求項１〜８のいずれかに記載のズームレンズ。
２．３＜Ｄａ／Ｄｏ＜３．５                                  ・・・(6')
【手続補正２】
【補正対象書類名】明細書
【補正対象項目名】００１４
【補正方法】変更
【補正の内容】
【００１４】
また、本発明によるズームレンズを備えた撮像装置は、上記本発明のいずれかのズームレンズと、その像側に配置された撮像領域を決定する撮像部分を備えたことを特徴としている。
また、本発明によるズームレンズは、前記２つの接合面を有する３枚のレンズから成る接合レンズの屈折力をΦIII、前記最終レンズ群の屈折力をΦＬとしたとき、次の条件式(2)を満足することを特徴としている。
０．５＜｜ΦIII／ΦＬ｜＜１．７                            ・・・(2)
また、本発明によるズームレンズは、前記第１サブユニットの屈折力をΦｕ１、広角時の前記前群の屈折力をΦｆｗとしたとき、次の条件式(3)を満足することを特徴としている。
０．４５＜｜Φｕ１／Φｆｗ｜＜１．０                      ・・・(3)
また、本発明によるズームレンズは、前記第２レンズ群の最も物体側のレンズ面の曲率半径をｒ２ｆ、前記第２レンズ群の最も像側のレンズ面の曲率半径をｒ２ｒとしたとき、次の条件式(4)を満足することを特徴としている。
−０．５＜（ｒ２ｆ−ｒ２ｒ）／（ｒ２ｆ＋ｒ２ｒ）＜０．２  ・・・(4)
但し、０＜ｒ２ｆ かつ ０＜ｒ２ｒ
また、本発明によるズームレンズは、短焦点距離端における開放時（Ｆナンバーが最も小さくなる絞り状態）の光軸上での、光軸を含む面に沿った方向におけるマージナル光線束の径をＤｏ、短焦点距離端における開放時（Ｆナンバーが最も小さくなる絞り状態）の入射全画角１００°での、光軸を含む面に沿った方向におけるマージナル光線束の径であって光軸方向から見たときの径をＤａとしたとき、次の条件式(6)を満足することを特徴としている。
２．０＜Ｄａ／Ｄｏ＜４．０                                ・・・(6)
また、本発明によるズームレンズは、次の条件式(1')を満足することを特徴としている。
０．２０＜１／（１−ｄｆｒｗ×Φｆｗ＋Φｗ×ｈｒｗ）＜０．２５  ・・・(1')
但し、Φｗは広角時の全系の屈折力、Φｆｗは広角時の前群の屈折力、ｄｆｒｗは広角時の前群の主点と後群の主点との間隔、ｈｒｗは広角時の後群の後側主点位置である。
また、本発明によるズームレンズは、前記２つの接合面を有する３枚のレンズから成る接合レンズの屈折力をΦIII、前記最終レンズ群の屈折力をΦＬとしたとき、次の条件式(2')を満足することを特徴としている。
０．７＜｜ΦIII／ΦＬ｜＜１．５                           ・・・(2')
また、本発明によるズームレンズは、前記第１サブユニットの屈折力をΦｕ１、広角時の前記前群の屈折力をΦｆｗとしたとき、次の条件式(3')を満足することを特徴としている。
０．５＜｜Φｕ１／Φｆｗ｜＜０．９                        ・・・(3')
また、本発明によるズームレンズは、前記第２レンズ群の最も物体側のレンズ面の曲率半径をｒ２ｆ、前記第２レンズ群の最も像側のレンズ面の曲率半径をｒ２ｒとしたとき、次の条件式(4')を満足することを特徴としている。
−０．４＜（ｒ２ｆ−ｒ２ｒ）／（ｒ２ｆ＋ｒ２ｒ）＜０．１      ・・・(4')
但し、０＜ｒ２ｆ  かつ  ０＜ｒ２ｒ
また、本発明によるズームレンズは、次の条件式(5')を満足することを特徴としている。
０．６３＜ｆ１＿ｗ／ＩＨ＜０．７５                        ・・・(5')
但し、ｆ１＿ｗは短焦点距離端の焦点距離、ＩＨは像高である。
また、本発明によるズームレンズは、短焦点距離端における開放時（Ｆナンバーが最も小さくなる絞り状態）の光軸上での、光軸を含む面に沿った方向におけるマージナル光線束の径をＤｏ、短焦点距離端における開放時（Ｆナンバーが最も小さくなる絞り状態）の入射全画角１００°での、光軸を含む面に沿った方向におけるマージナル光線束の径であって光軸方向から見たときの径をＤａとしたとき、次の条件式(6')を満足することを特徴としている。
２．３＜Ｄａ／Ｄｏ＜３．５                                ・・・(6')
【手続補正３】
【補正対象書類名】明細書
【補正対象項目名】００３０
【補正方法】変更
【補正の内容】
【００３０】
また、接合レンズを負・正・負の構成にすれば、正・負・正の構成に比べてレンズの縁肉をとることで光軸上の寸法を縮小でき、最終レンズ群の光軸方向の寸法の短縮化につながり、その分、変倍時における可動スペースをとることができ収差補正上有利となる。
また、最終レンズを、接合レンズの前後にそれぞれ正の単レンズを配置して構成すれば、最終レンズ群としての構成を非常に簡素化することができ、最終レンズ群の組立て時における構成レンズの位置調整が容易になり、組立て精度が向上する。
また、本発明のように、入射側の正レンズを非球面を有して構成すれば、最終レンズ群の入射面近傍で大きく発生する球面収差やコマ収差の補正に大いに有利となる。